(57)【要約】      （修正有）【課題】時間内ガス使用量を計測および監視し、且つ警報できる安価で小型なガスデマンド超過監視装置を提供する。【解決手段】ガスメーターに接続された負荷計からパルス信号を読み込み、１時間ごとに時間ガス使用量を測定することによって、契約ガス使用量（デマンド）に時間ガス使用量が近づけば２段階に分けて警報を発し、注意を喚起でき、常にガス使用量を監視できるため安全で効率的なガス使用ができる。また安価で小型な装置にすることで経済的にもスペース的にも設備導入を躊躇していた事業者に導入しやすくすることで種々の問題点を解決した。【選択図】図３
0003150241.tif 000002
【実用新案登録請求の範囲】
【請求項１】
ガスの使用量を表示する液晶表示部を設け、２段階に分けて警報を知らせる警報ランプと警報音を発するスピーカーを設けるとともに、計測された値をパソコンなどにデータ出力できる端子や警報ランプや警報スピーカーを外部接続できる端子を備えたガスデマンド超過監視装置。
【考案の詳細な説明】
【技術分野】
【０００１】本考案は、ガス消費者が契約する１時間単位の契約ガス量を簡易的に計測し、使用状況をリアルタイムで表示し、時間ガス使用量がガス販売会社とのガス契約量（デマンド）に近づくと警報を鳴らし、警報ランプで注意を喚起できる装置に関するものである。
【背景技術】
【０００２】従来、この種のガス使用量監視装置は、ガス使用量のログを取るシステムやボイラーなどの制御のための大掛かりな設備の一部として、ガス使用量を監視する機能が備わっておりましたが、高価であり、すべてのガス消費者及び事業者に必要であるものではなかった。それゆえに多くのガス消費者は自ら時間ガス使用量を監視する術がないまま、ガスを使用するしかなく、ガス販売会社との契約改定の際にガス販売会社から示されるデータに従い、料金を支払い、契約改定を行うしかなかった。ガスデマンド超過監視装置があれば、ガス消費者が自ら監視ができ、ガスの使用に関しても効率的に行えるようになる。そのような時間ガス使用量のみ監視し、且つ顧客に警報ランプ、警報音で、任意設定された時間ガス使用量に達したら知らせる、安価で小型な装置が今まではなかった。
【先行技術文献】
【特許文献】
【０００３】
【特許文献１】特許公開２００４−３０９３６５号公報
【考案の概要】
【考案が解決しようとする課題】
【０００４】コンプライアンスが重要視される中、１時間単位の契約ガス使用量の超過に対する監視が厳正になり、ガス消費者は契約量を超えると追加料金が科せられる契約となっている。しかし現状では、時間ガス使用量をガス消費者自身が簡単に監視することができずに、デマンド超過に対する対策が取れないという問題点と、大掛かりな設備を導入する場合には経済的負担が大きく、またスペースも必要であり、ガス消費者が簡易的に導入し監視することは困難であった。
【考案を解決するための手段】
【０００５】本考案は、ガスメーターに接続された負荷計から発せられるパルス信号をカウントし、１時間のガス使用量を監視できるようにし、顧客が契約している時間ガス使用量の契約限度内の量を装置に設定することにより、契約した時間ガス使用量の超過が近づいていることを知らせるようにし、且つ、警報ランプや警報スピーカーを外部接続できる端子を設けることにより、騒がしい工場内などでも警報が認識できるようにするとともに、日々の時間ガス使用量をデータ管理したい事業者には本装置よりデータが出力できる端子を設けたため、ガス消費者が自ら時間ガス使用量を監視できないという問題点を解決している。
【０００６】また、本装置は小型に設計し、無駄な機能を省き、安価で提供できるようにすることによりガス消費者が手軽に導入できるようにし、経済的負担ならびスペースを必要とする問題を解決している。
【考案の効果】
【０００７】上述のように、ガス消費者が手軽に自ら時間ガス使用量を監視できる本考案により、デマンド超過にならないように操業計画の組み立てや見直しができるようになり、個々の設備のガス使用量を本装置で計測することにより、無駄なガス使用量が減り、経費節減と省エネにつながる効率的な操業が可能になるとともに、また設備管理者や一般従業員に省エネの意識付けにつながる。そして従来のように、ガス販売会社からの時間ガス使用量の報告のみに依存せず、顧客自身で管理できるようになる。
【図面の簡単な説明】
【０００８】
【図１】監視装置本体図
【図２】本体接続端子配置図
【図３】フローチャート
【考案を実施するための形態】
【０００９】本装置は警報ランプ１および２と警報音を発するスピーカー４を内蔵し、表示部３を備えることにより聴覚や視覚で時間ガス使用量を認識できるようにし、各種の端子１３から２４を備えることにより、外付け警報ランプや外付け警報音スピーカー、さらにデータロガーの接続を可能にすることで、使用される設備の規模や操業時の騒音レベルにも対応し、安全かつ適正にガス使用が行える装置となる。
【実施例】
【００１０】以下、添付図面に従って一実施例を説明する。ガス販売会社より設置されたガスメーターとそれを管理するために設置されている負荷計の出力端子からパルス信号を本装置のガス負荷計信号入力端子１６および１７に入力し、表示部３に１時間ごとの時間ガス使用量が表示され、１時間ごとに数値がリセットされ、また“０”からカウントが始まるようにした。そして各使用者はガス販売会社とのデマンド契約量に応じて第１次警報設定ならびに第２次警報設定を任意設定できるようにし、デマンドを超過する緊急度を区別して警告するようにした。例えば、任意に第１次警報は設定ボタン６を押した後、設定ボタン８または９を用いてデマンド契約量の８０〜８５％を立米で設定し、同じく第２次警報は設定ボタン７を押した後、設定ボタン８または９を用いて、デマンド契約量の９０〜９５％を立米で設定することができる。この際に倍速ボタン１０を押しながら設定ボタン８または９を押すと設定数値が倍速で上昇、下降することができるようにもした。そして時間ガス使用量がそれぞれの設定数値を超過すると第１次警報時にはランプ１が点灯しながら、スピーカー４より警告音を鳴らし注意を促し、さらにガスを使用し続け第２次警報時にはランプ２が点灯しながら、第１次警報時とは違う警報音をスピーカー４より鳴らし注意を促すようにした。またそれぞれの警報時の警告音を消すには警報停止ボタン１１を押せば消せるようした。【００１１】実際の操業中にガスの流量調整を行ったり、緊急時に対応したりする必要があるため、そのような場面に対応できるように、本装置に外付け警報ランプや外付け警報スピーカーを外部接続することを可能にした。例えば、本装置の出力端子２０および２１に別途外付け警報ランプを接続して、広範囲に注意を喚起できるようにし、また出力端子２２および２３に外付け警報スピーカーを接続して広範囲に注意を喚起できるようにもした。表示部３に表示される時間ガス使用量は、１時間ごとにまた“０”からカウントを開始するが、時間ガス使用量の最高値はリセットをしない限り、本装置に最高値として残るようにした。また停電等による突然の電源ＯＦＦに対しても、時間ガス使用量の最高値と第１次および第２時警報設定値は消去されないようにし、消去するには各使用者がボタン１０および１２を同時に押すことにより時間ガス使用量の最高値がリセットでき、ボタン１１および１２を同時に押すことにより第１次および第２時警報設定値をリセットできるようにした。また、本装置は時間ガス使用量を計測するための装置ですが、連続してガス使用量を監視し、データ化したい場合には、出力端子１８および１９を使用して、既存のデーターロガー（本装置と仕様が合うもの）を接続でき、継続してガス使用量の動向をグラフ等で管理することを可能にした。
【符号の説明】
【００１２】  １：第１次警報ランプ
２：第２次警報ランプ
３：表示部
４：スピーカー
５：音量つまみ
６：第１次警報設定ボタン
７：第２次警報設定ボタン
８：設定“上”ボタン
９：設定“下”ボタン
１０：設定“倍速”ボタン
１１：警報停止ボタン
１２：最大値表示ボタン
１３：ＡＣ１００Ｖ電源接続端子（＋）
１４：ＡＣ１００Ｖ電源接続端子（−）
１５：アース接続端子
１６：ガス負荷計信号入力端子（＋）
１７：ガス負荷計信号入力端子（−）
１８：負荷計信号出力端子（＋）
１９：負荷計信号出力端子（−）
２０：空き端子
２１：警報灯１出力端子（＋）
２２：警報灯１出力端子（−）
２３：警報灯２出力端子（＋）
２４：警報灯２出力端子（−）
【図１】
0003150241.tif 000003
【図２】
0003150241.tif 000004
【図３】
0003150241.tif 000005